【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
創傷を監視するためのシステムであって、
創傷被覆材の画像を取り込むための手段と、
前記創傷被覆材上のpHインジケータの色を決定するための手段であって、前記色を決定するための前記手段は、前記取り込まれた画像からRGB値を抽出するための手段を備える、手段と、
前記創傷被覆材に対するpH値を前記被覆材RGB値から計算するための手段と、
前記計算されたpH値の指示を表示するための手段とを備えるシステム。
【請求項２】
画像取り込み時にガイド枠を表示するための手段をさらに備え、前記ガイド枠は、ユーザに対する適切な創傷被覆材位置合わせの指示を与え、
任意選択的に、さらに、前記表示されるガイド枠に相対的な前記創傷被覆材の前記位置合わせを検出するための手段をさらに備え、前記画像は、前記創傷被覆材が前記ガイド枠と適切に位置合わせされたときに取り込むための前記手段によって自動的に取り込まれる請求項1に記載のシステム。
【請求項３】
不適切な光または過剰な影を有する画像を拒絶するための手段と、
新しい画像を取り込む要求をユーザに表示するための手段とをさらに備える請求項1または2に記載のシステム。
【請求項４】
前記計算されたpH値が表示されるときに前記計算されたpH値を受け入れるか、または拒絶するためのオプションを表示するための手段をさらに備える請求項1から3のいずれか一項に記載のシステム。
【請求項５】
pH値のレコード内の前記計算されたpH値を記憶するための手段をさらに備える請求項1から4のいずれか一項に記載のシステム。
【請求項６】
特定の患者を識別するユーザ入力を受信するための手段をさらに備え、前記記憶されているレコードは、前記特定の患者に関連付けられており、
前記ユーザ入力は、記憶されている患者のリストからの前記特定の患者の選択を含むか、または、前記ユーザ入力は、新しい患者に対する識別情報を含む、請求項5に記載のシステム。
【請求項７】
前記特定の患者に対するpH値のトレンドを表示するための手段をさらに備え、
任意選択的に、さらに、前記表示されているトレンドは、グラフおよびpH値のリストのうちの少なくとも1つを含む、請求項5または6に記載のシステム。
【請求項８】
前記取り込まれた画像から被覆材RGB値を抽出するための手段は、前記画像内の複数のピクセルのうちの各ピクセルについて個別のピクセルRGB値を決定するための手段と、前記複数のピクセルに対して前記個別のピクセルRGB値の平均を取り、前記被覆材RGB値を決定するための手段とを備え、
前記取り込まれた画像の中心点を定義するための手段をさらに備える請求項1から7のいずれか一項に記載のシステム。
【請求項９】
前記取り込まれた画像の前記中心点の周りに被覆材円形領域を定義するための手段をさらに備え、前記被覆材円形領域は、前記個別のピクセルRGB値が決定される前記複数のピクセルを含み、
前記被覆材円形領域は約5から約100ピクセルの間の半径を有し、好ましくは前記被覆材円形領域は約10から約50ピクセルの間の半径を有し、最も好ましくは前記被覆材円形領域は約20から約30ピクセルの間の半径を有する請求項8に記載のシステム。
【請求項１０】
カラーキャリブレーションストリップの画像を取り込むための手段をさらに備え、
任意選択的に、前記カラーキャリブレーションストリップは、前記創傷被覆材と同じ画像内に取り込まれる請求項1から9のいずれか一項に記載のシステム。
【請求項１１】
前記カラーキャリブレーションストリップ内の複数のカラーブロックの各々について前記カラーキャリブレーションストリップの前記画像からキャリブレーションRGB値を抽出するための手段をさらに備える請求項10に記載のシステム。
【請求項１２】
各カラーブロックは、標準化されたpH値に関連付けられ、
前記創傷被覆材に対する前記pH値は、前記被覆材RGB値および前記キャリブレーションRGB値を使用して計算される請求項11に記載のシステム。
【請求項１３】
前記複数のカラーブロックの各々についてキャリブレーションRGB値を抽出するための前記手段は、カラーブロック内の複数のピクセルのうちの各ピクセルについて個別のピクセルRGB値を決定するための手段と、前記カラーブロック内の前記複数のピクセルに対して前記個別のピクセルRGB値の平均を取り、前記カラーブロックに対する前記キャリブレーションRGB値を決定するための手段とを備える請求項11または12に記載のシステム。
【請求項１４】
前記複数のカラーブロックの各々のブロックの中心点を定義するための手段をさらに備え、
前記中心点は、前記カラーキャリブレーションストリップのいずれかの側に位置決めされた位置合わせインジケータから定義される請求項13に記載のシステム。
【請求項１５】
キャリブレーション円形領域を各カラーブロックの前記中心点の周りに定義するための手段をさらに備え、前記キャリブレーション円形領域の各々は、前記個別のピクセルRGB値が各カラーブロック内で決定される前記複数のピクセルを含み、
任意選択的に、前記キャリブレーション円形領域の各々は、約3から約10ピクセルの間の半径を有し、または、前記キャリブレーション円形領域の各々は、約5ピクセルの半径を有する請求項14に記載のシステム。
【請求項１６】
三次元空間内の前記被覆材RGB値と前記キャリブレーションRGB値の各々との間の距離を計算するための手段をさらに備える請求項10から15のいずれか一項に記載のシステム。
【請求項１７】
前記2つの最小の計算された距離を決定するための手段と、
前記RGBキャリブレーション値および前記2つの最小の距離に関連付けられている標準化されたpH値に基づき前記創傷被覆材に対する前記pH値を計算するための手段とをさらに備え、
任意選択的に、前記2つの最短距離に関連付けられている前記2つのRGBキャリブレーション値によって定義された直線に合わせて前記被覆材RGB値を正規化するための手段と、
前記創傷被覆材に対する前記pH値を前記直線上の前記被覆材RGB値の正規化された位置から計算するための手段とをさらに備える請求項16に記載のシステム。
【請求項１８】
創傷を監視する方法であって、
ユーザデバイスで、創傷被覆材の画像を取り込むステップと、
前記創傷被覆材上のpHインジケータの色を決定するステップであって、前記色を決定するステップは、前記取り込まれた画像からRGB値を抽出するステップを含む、ステップと、
前記創傷被覆材に対するpH値を前記被覆材RGB値から計算するステップと、
前記ユーザデバイス上に、前記計算されたpH値の指示を表示するステップとを含む方法。
【請求項１９】
画像取り込み時に、前記ユーザデバイス上に、ガイド枠を表示するステップをさらに含み、前記ガイド枠は、ユーザに対する適切な創傷被覆材位置合わせの指示を与え、
任意選択的に、前記ユーザデバイスで、前記表示されているガイド枠に相対的に前記創傷被覆材の前記位置合わせを検出するステップをさらに含み、前記画像は、前記創傷被覆材が前記ガイド枠と適切に位置合わせされたときに前記ユーザデバイスによって自動的に取り込まれる請求項18に記載の方法。
【請求項２０】
前記ユーザデバイスで、不適切な光または過剰な影を有する画像を拒絶するステップと、
前記ユーザデバイス上に、新しい画像を取り込む要求をユーザに表示するステップとをさらに含む請求項18または19に記載の方法。
【請求項２１】
前記ユーザデバイス上に、前記計算されたpH値が表示されるときに前記計算されたpH値を受け入れるか、または拒絶するためのオプションを表示するステップをさらに含む請求項18から20のいずれか一項に記載の方法。
【請求項２２】
前記ユーザデバイス上のメモリに、pH値のレコード内の前記計算されたpH値を記憶するステップをさらに含む請求項18から21のいずれか一項に記載の方法。
【請求項２３】
前記ユーザデバイスで、特定の患者を識別するユーザ入力を受信するステップをさらに含み、前記記憶されているレコードは、前記特定の患者に関連付けられており、
前記ユーザ入力は、記憶されている患者のリストからの前記特定の患者の選択を含むか、または、前記ユーザ入力は、新しい患者に対する識別情報を含む請求項22に記載の方法。
【請求項２４】
前記ユーザデバイス上に、前記特定の患者に対するpH値のトレンドを表示するステップをさらに含み、
前記表示されているトレンドは、グラフおよびpH値のリストのうちの少なくとも1つを含む請求項22または23に記載の方法。
【請求項２５】
前記取り込まれた画像から被覆材RGB値を抽出するステップは、前記画像内の複数のピクセルのうちの各ピクセルについて個別のピクセルRGB値を決定するステップと、前記複数のピクセルに対して前記個別のピクセルRGB値の平均を取り、前記被覆材RGB値を決定するステップとを含み、
前記取り込まれた画像の中心点を定義するステップをさらに含み、
前記取り込まれた画像の前記中心点の周りに被覆材円形領域を定義するステップをさらに含み、前記被覆材円形領域は、前記個別のピクセルRGB値が決定される前記複数のピクセルを含み、
前記被覆材円形領域は約5から約100ピクセルの間の半径を有し、好ましくは前記被覆材円形領域は、約10から約50ピクセルの間の半径を有し、最も好ましくは前記被覆材円形領域は、約20から約30ピクセルの間の半径を有する請求項18から24のいずれか一項に記載の方法。
【請求項２６】
前記ユーザデバイスで、カラーキャリブレーションストリップの画像を取り込むステップをさらに含み、
任意選択的に、前記カラーキャリブレーションストリップは、前記創傷被覆材と同じ画像内に取り込まれる請求項18から25のいずれか一項に記載の方法。
【請求項２７】
前記カラーキャリブレーションストリップ内の複数のカラーブロックの各々について前記カラーキャリブレーションストリップの前記画像からキャリブレーションRGB値を抽出するステップをさらに含む請求項26に記載の方法。
【請求項２８】
各カラーブロックは、標準化されたpH値に関連付けられ、
前記創傷被覆材に対する前記pH値は、前記被覆材RGB値および前記キャリブレーションRGB値を使用して計算される請求項27に記載の方法。
【請求項２９】
前記複数のカラーブロックの各々についてキャリブレーションRGB値を抽出するステップは、カラーブロック内の複数のピクセルのうちの各ピクセルについて個別のピクセルRGB値を決定するステップと、前記カラーブロック内の前記複数のピクセルに対して前記個別のピクセルRGB値の平均を取り、前記カラーブロックに対する前記キャリブレーションRGB値を決定するステップとを含み、
前記複数のカラーブロックの各々のブロックの中心点を定義するステップをさらに含み、
前記中心点は、前記カラーキャリブレーションストリップのいずれかの側に位置決めされた位置合わせインジケータから定義され、
キャリブレーション円形領域を各カラーブロックの前記中心点の周りに定義するステップをさらに含み、前記キャリブレーション円形領域の各々は、前記個別のピクセルRGB値が各カラーブロック内で決定される前記複数のピクセルを含み、
好ましくは前記キャリブレーション円形領域の各々は約3から約10ピクセルの間の半径を有し、最も好ましくは前記キャリブレーション円形領域の各々は約5ピクセルの半径を有する請求項27または28に記載の方法。
【請求項３０】
三次元空間内の前記被覆材RGB値と前記キャリブレーションRGB値の各々との間の距離を計算するステップをさらに含む請求項26から29のいずれか一項に記載の方法。
【請求項３１】
前記2つの最小の計算された距離を決定するステップと、
前記RGBキャリブレーション値および前記2つの最小の距離に関連付けられている標準化されたpH値に基づき前記創傷被覆材に対する前記pH値を計算するステップとをさらに含む請求項30に記載の方法。
【請求項３２】
前記2つの最短距離に関連付けられている前記2つのRGBキャリブレーション値によって定義された直線に合わせて前記被覆材RGB値を正規化するステップと、
前記創傷被覆材に対する前記pH値を前記直線上の前記被覆材RGB値の前記正規化された位置から計算するステップとをさらに含む請求項31に記載の方法。